(57)【要約】【課題】遮蔽物に接近してファン吸込口を設けた場合でも効率良く風を流すことができるファンモータベンチュリー構造を提供する。【解決手段】ベンチュリーの４つの側面に開口部１ａ，１ｂ，１ｃおよび１ｄが設けられている。空気は上面側または下面側および側面側の開口部１ａ，１ｂ，１ｃおよび１ｄから吸引され、反対面から排出される。ファンモータの上面側または下面側を遮蔽物に接近して設けた場合、上面側または下面側から吸引される空気量が少なくなるが、側面側の開口部で必要空気量を供給でき円滑な空気の流れを確保できる。【選択図】　　　　図１
2004068711.tif 000002
【特許請求の範囲】
【請求項１】
ベンチュリーの上面側または下面側から吸引し、反対面から排出するように構成された薄形ファンモータにおいて、
ベンチュリーの側面に開口部を設け、空気を前記上面側または下面側および側面から吸い込むように構成したことを特徴とするファンモータベンチュリー構造。
【請求項２】
前記側面の開口部は、１つの側面，２つの側面，３つの側面または４つの側面に設けられたことを特徴とするファンモータベンチュリー構造。
【発明の詳細な説明】
【０００１】
【発明の属する技術分野】
本発明は、空気吸引位置に改良を施した薄形ファンモータのベンチュリー構造に関する。
【０００２】
【従来の技術】
図５は従来の薄形ファンモータのベンチュリー構造の一例を示す断面図である。外周に植設されたファン２９を有するロータ２３にシャフト３１が取り付けられ、該シャフト３１はボールベアリング２５に圧入固定され、該ボールベアリング２５は軸受け用ハウジング２６に固定されている。軸受け用ハウジング２６はハウジング３３の中央に固定され、該軸受け用ハウジング２６の外周部にはステータヨーク３２が取り付けられている。このハウジング３３と一体に設けられているベンチュリー２４の中央部分にロータ２３が配置され、空気はベンチュリー２４の上面開口部２８から吸引され、下面開口部３０に排出される構造となっている。
【０００３】
【発明が解決しようとする課題】
ところで、上記ファンモータはフリーエアーでは、性能が良好なファンである。しかしながら、高密度実装製品内で使用された場合、極端に性能が悪くなる場合がある。例えば、図６に示すように遮蔽物３６に接近してファンモータの吸込口を配置すると、風は遮蔽物３６とファンモータ３７の間の狭い空間３４を通り、ファンモータ３７の背面に排出される。そのため、空気の流れは乱れファンモータの本来の性能を引き出すことができない。
本発明の目的は、遮蔽物に接近してファン吸込口を設けた場合でも効率良く風を流すことができるファンモータベンチュリー構造を提供することにある。
【０００４】
【課題を解決するための手段】
前記目的を達成するために本発明によるファンモータベンチュリー構造は、ベンチュリーの上面側または下面側から吸引し、反対面から排出するように構成された薄形ファンモータにおいて、ベンチュリーの側面に開口部を設け、空気を前記上面側または下面側および側面から吸い込むように構成されている。
また、本発明における前記側面の開口部は、１つの側面，２つの側面，３つの側面または４つの側面に設けることができる。
【０００５】
【発明の実施の形態】
以下図面を参照して本発明の実施の形態を詳しく説明する。
図１は、本発明によるベンチュリー構造を採用したファンモータの実施の形態を示す斜視図である。
ハウジングの一部として構成されるベンチュリー１の各側面側は開口部１ａ，１ｂ，１ｃおよび１ｄをそれぞれ有している。ベンチュリー１の４隅には、該ファンモータを図示しない装置の筐体に固定するための円柱形の取付部５ａ，５ｂ，５ｃおよび５ｄが植設されている。取付部５ａ，５ｂ，５ｃおよび５ｄには貫通孔６ａ，６ｂ，６ｃおよび６ｄが穿設されている。図示しない装置の筐体側のファンモータ取付部に設けられているビス孔に取付部５ａ，５ｂ，５ｃおよび５ｄの貫通孔を合わせ、ビスを貫通孔に挿通してビス孔に螺合することによりファンモータを取り付けることができる。
【０００６】
ベンチュリー１の中央の開口部４にはファン３を有するロータ２が配置され、ロータ２の上側すべては開口状態となっている。
空気の流入口はこの上面の開口部分と４隅の開口部となる。排出口はベンチュリー１の裏面側となる。
【０００７】
図２は、図１のファンモータを遮蔽壁に接近して実装した概略図である。
遮蔽壁７とベンチュリー１との間から空気１０が流れ込むと同時に側面の開口部から空気９が吸入される。遮蔽壁７とベンチュリー１の間に充分な距離がない場合でも、側面の開口部から空気が供給されるため、排気口からはファンモータの性能に従った量の空気１１が排出される。
【０００８】
図３は、風量と遮蔽板までの距離の関係を示すグラフである。
縦軸は風量（ｍ３　／ｍｉｎ），横軸は遮蔽板までの距離（ｍｍ）である。
従来のファンモータの構造では遮蔽板までの距離約３．４ｍｍから空気の流れが発生し、約６ｍｍの距離で所定の風量近くになる。これに対し、本発明によるベンチュリーの構造によれば、約２ｍｍの距離から空気の流れが発生し、約３ｍｍで所定の風量近くになる。本発明による風量の特性は従来のそれに比べて遮蔽板までの距離が短くなる方向に移動した特性を有し、遮蔽板までの距離が小さくなっても所定の風量を確保できることが理解できる。
【０００９】
図４は、ベンチュリー構造の他の実施の形態を示す斜視図で、（ａ）は１つの側面に開口部を設けた場合，（ｂ）および（ｄ）は２つの側面に開口部を設けた場合、（ｃ）は３つの開口部を設けた場合をそれぞれ示している。
多数の側面に開口部を設けるほど空気供給量が増加する。したがって１つの側面より２つの側面に、２つの側面より３つの側面に、さらに図１の実施の形態のようにすべての側面に開口部を設けるほど、目的の風量を確保しつつ遮蔽物までの距離を小さくできる。
【００１０】
以上の実施の形態は１側面全部を開口した例について述べたが、１側面の一部を開口した場合でも同様の効果を得ることができる。
またベンチュリーの上面側または下面側から吸引し、ハウジング側に排出するファンモータに対し、側面側に開口部を設けた例について述べたが、ベンチュリーのハウジング側から吸引し、反対側に排出するファンモータに対しても同様に本発明を適用することができる。
【００１１】
【発明の効果】
以上、説明したように本発明はベンチュリーの上面側または下面側から吸引し、反対面から排出するように構成された薄形ファンモータにおいて、ベンチュリーの側面に開口部を設け、空気を上面側または下面側および側面から吸い込むように構成したものである。
したがってファンモータと遮蔽物までの距離が狭くなった場合でも、必要量の風を吸入排出でき円滑な風の流れを作ることができる。
【図面の簡単な説明】
【図１】本発明によるベンチュリー構造を採用したファンモータの実施の形態を示す斜視図である。
【図２】図１のファンモータを遮蔽壁に接近して実装した概略図である。
【図３】風量と遮蔽板までの距離の関係を示すグラフである。
【図４】ベンチュリー構造の他の実施の形態を示す斜視図で、（ａ）は１つの側面に開口部を設けた場合，（ｂ）および（ｄ）は２つの側面に開口部を設けた場合、（ｃ）は３つの開口部を設けた場合をそれぞれ示している。
【図５】従来の薄形ファンモータの一例を示す断面図である。
【図６】従来の薄形ファンモータを遮蔽物付近に設けた場合の風の流れを示す図である。
【符号の説明】
１，１２，１５，１７，１９　ベンチュリー
２　ロータ
３　ファン
４　開口部
５ａ，５ｂ，５ｃ，５ｄ　取付部
６ａ，６ｂ，６ｃ，６ｄ　孔
８　シャフト
７　遮蔽壁
９，１０，１１　空気の流れ
１２ａ，１５ａ，１５ｂ，１７ａ，１７ｂ，１７ｃ，１９ａ，１９ｂ　側面開口部
【図１】
2004068711.tif 000003
【図２】
2004068711.tif 000004
【図３】
2004068711.tif 000005
【図４】
2004068711.tif 000006
【図５】
2004068711.tif 000007
【図６】
2004068711.tif 000008
【手続補正書】
【提出日】平成14年8月12日(2002.8.12)
【手続補正１】
【補正対象書類名】明細書
【補正対象項目名】００１０
【補正方法】変更
【補正の内容】
【００１０】
以上の実施の形態は１側面全部を開口した例について述べたが、１側面の一部を開口した場合でも同様の効果を得ることができる。
またベンチュリーの上面側から吸引し、ハウジング側に排出するファンモータに対し、側面側に開口部を設けた例について述べたが、ベンチュリーのハウジング側から吸引し、反対側に排出するファンモータに対しても同様に本発明を適用することができる。